(57)【要約】【課題】直接的にホットメルト接着の有無や良否を判断できるようになし、検査性能が高い検査装置を提供する。【解決手段】端面片１３内面へのホットメルト接着剤の塗布部位がライン方向に設定され、かつ、ホットメルト接着剤塗布位置よりライン後方にあって、ホットメルト接着剤の温度低下が少ない位置に、前記塗布部位を睨んでホットメルト接着剤の温度検出器３０を設け、搬送ラインの搬送速度に基づく前記塗布部位の位置と、その位置における前記温度検出器３０により検知した温度信号が所定の温度以上であるか否かに基づき、前記塗布部位にホットメルト接着剤が適正に塗布されたかを判断する装置である。【選択図】図３
2014198592.tif 000002
【特許請求の範囲】
【請求項１】
直方体の上下及び左右側面の少なくとも２つの端面片が延在し、対応する端面片を重ねてホットメルト接着する収納箱の組み立て搬送ラインにおいて、
前記端面片へのホットメルト接着剤の塗布部位が搬送ライン方向に設定され、かつ、ホットメルト接着剤塗布位置より搬送ライン後方にあって、ホットメルト接着剤の温度低下が少ない位置に、前記塗布部位を睨んでホットメルト接着剤の温度検出器を設け、
搬送ラインの搬送速度に基づく前記塗布部位の位置と、その位置における前記温度検出器により検知した温度信号が所定の温度以上であるか否かに基づき、前記塗布部位にホットメルト接着剤が適正に塗布されたかの判断によって、ホットメルト接着を検査することを特徴とする収納箱のホットメルト接着の検査装置。
【請求項２】
端面片へのホットメルト接着剤の塗布部位がライン方向に複数部位設定される請求項１記載の収納箱のホットメルト接着の検査装置。
【請求項３】
温度検出器は、デジタル放射温度センサである請求項１または２記載の収納箱のホットメルト接着の検査装置。
【請求項４】
直方体の各側面の長手方向端から延在する側面端面片、上面及び底面の長手方向端から延在する箱の高さより短い上面側端面片及び底面側端面片を有し、
前記各側面端面片が折られ、これら側面端面片の外側に、前記底面側端面片及び前記上面側端面片が折られ、前記底面側端面片の高さ方向上端部と上面側端面片の高さ方向下端部とが重なるようにホットメルト接着するティシュペーパー収納箱の組み立て搬送ラインにおいて、
前記上面側端面片へのホットメルト接着剤の塗布部位がライン方向に設定され、かつ、ホットメルト接着剤塗布位置よりライン後方にあって、ホットメルト接着剤の温度低下が少ない位置に、前記塗布部位を睨んでホットメルト接着剤の温度検出器を設け、
搬送ラインの搬送速度に基づく前記塗布部位の位置と、その位置における前記温度検出器により検知した温度信号が所定の温度以上であるか否かに基づき、前記塗布部位にホットメルト接着剤が適正に塗布されたかの判断によって、ホットメルト接着を検査することを特徴とするティシュペーパー収納箱のホットメルト接着の検査装置。
【発明の詳細な説明】
【技術分野】
【０００１】
本発明は、箱、とりわけティシュペーパー収納箱の構成フラップ間をホットメルト接着剤により接着して、収納箱を組み立てる際におけるホットメルト接着の有無や良否などを検査する検査装置に関する。
【背景技術】
【０００２】
ティシュペーパー、ペーパータオルなどの衛生薄葉紙収納箱の構成フラップ間をホットメルト接着剤により接着して収納箱を組み立てる場合、ホットメルト接着ノズル不良や詰まりによって、所望のホットメルト接着がなされないことがある。
【０００３】
このようなホットメルト接着の有無や良否などを検査するには、たとえばティシュペーパー収納製品の製造ラインでは、搬送ライン上を５０〜１００ｍ／分の高速で移動させる過程でホットメルト接着剤塗布が行われるので、目視確認は不可能である。
【０００４】
したがって、従来は、専らティシュペーパー収納製品を組み立て後に、一部の製品について検品し、収納箱の状態について目視判断する検査しか方策がなかった。
【０００５】
ちなみに、仮に画像処理によりホットメルト接着剤の塗布状況を判断しようとしても、ホットメルト接着剤が無色に近いので、背景との間で画像判別もできない。
【０００６】
なお、特許文献１には、フラップが突出状態にあるか否かを光学的に検出してホットメルト接着の検査を行う技術が開示されている。
【先行技術文献】
【特許文献】
【０００７】
【特許文献１】特開２０１１−６１３５
【発明の概要】
【発明が解決しようとする課題】
【０００８】
しかし、特許文献１の技術は、フラップが剥がれて突出状態にあることを検知する結果的な検査装置であり、ホットメルト接着が不良であるにもかかわらずフラップが剥がれていない場合（この不良は、その後の過程でフラップの剥がれにつながることがある。）にはまったく検出できない。
【０００９】
したがって、本発明の主たる課題は、直接的にホットメルト接着の有無や良否を判断できるようになし、検査性能が高い検査装置を提供することにある。
【００１０】
また、他の課題は、経済性に優れる検査装置を提供することにある。
【課題を解決するための手段】
【００１１】
上記課題を解決した本発明は次記のとおりである。
＜請求項１記載の発明＞
直方体の上下及び左右側面の少なくとも２つの端面片が延在し、対応する端面片を重ねてホットメルト接着する収納箱の組み立て搬送ラインにおいて、
前記端面片へのホットメルト接着剤の塗布部位が搬送ライン方向に設定され、かつ、ホットメルト接着剤塗布位置より搬送ライン後方にあって、ホットメルト接着剤の温度低下が少ない位置に、前記塗布部位を睨んでホットメルト接着剤の温度検出器を設け、
搬送ラインの搬送速度に基づく前記塗布部位の位置と、その位置における前記温度検出器により検知した温度信号が所定の温度以上であるか否かに基づき、前記塗布部位にホットメルト接着剤が適正に塗布されたかの判断によって、ホットメルト接着を検査することを特徴とする収納箱のホットメルト接着の検査装置。
【００１２】
（作用効果）
本発明では、ホットメルト接着剤が未だ冷却されていない段階で、その温度検知を行うとともに、当該収納箱の搬送速度と関連付けることにより、直接的に対象の塗布部位にホットメルト接着剤が適正に塗布されたかを判断できる。
よって、先行技術のように間接的な検知でなく、直接的にホットメルト接着剤の存否を検知するので、検査の信頼性が高いものとなる。
【００１３】
＜請求項２記載の発明＞
端面片へのホットメルト接着剤の塗布部位がライン方向に複数部位設定される請求項１記載の収納箱のホットメルト接着の検査装置。
【００１４】
（作用効果）
ホットメルト接着剤の塗布は、線状に連続したもののほか、間隔をおいて間欠的に散点状に塗布するものでもよい。
【００１５】
＜請求項３記載の発明＞
温度検出器は、デジタル放射温度センサである請求項１または２記載の収納箱のホットメルト接着の検査装置。
【００１６】
（作用効果）
温度検出器としてデジタル放射温度センサを使用して、温度検知すると、装置的に安価であり、実用性の高いものとなる。
【００１７】
＜請求項４記載の発明＞
直方体の各側面の長手方向端から延在する側面端面片、上面及び底面の長手方向端から延在する箱の高さより短い上面側端面片及び底面側端面片を有し、
前記各側面端面片が折られ、これら側面端面片の外側に、前記底面側端面片及び前記上面側端面片が折られ、前記底面側端面片の高さ方向上端部と上面側端面片の高さ方向下端部とが重なるようにホットメルト接着するティシュペーパー収納箱の組み立て搬送ラインにおいて、
前記上面側端面片へのホットメルト接着剤の塗布部位がライン方向に設定され、かつ、ホットメルト接着剤塗布位置よりライン後方にあって、ホットメルト接着剤の温度低下が少ない位置に、前記塗布部位を睨んでホットメルト接着剤の温度検出器を設け、
搬送ラインの搬送速度に基づく前記塗布部位の位置と、その位置における前記温度検出器により検知した温度信号が所定の温度以上であるか否かに基づき、前記塗布部位にホットメルト接着剤が適正に塗布されたかの判断によって、ホットメルト接着を検査することを特徴とするティシュペーパー収納箱のホットメルト接着の検査装置。
【００１８】
（作用効果）
箱として高速で搬送されるティシュペーパー収納製品の製造ラインに適用するのが望ましく、かつ、接着不良を生じ易い上面側端面片へのホットメルト接着剤の塗布部位ついて本発明を適用するのが、実用価値が高い。
【発明の効果】
【００１９】
以上のとおり、本発明によれば、直接的にホットメルト接着の有無や良否を判断できるようになし、検査性能が高い検査装置を提供することができる。
また、装置コスト的に、経済性に優れたものとなる。
【図面の簡単な説明】
【００２０】
【図１】ティシュペーパー収納箱の搬送組み立て過程の段階１の斜視図である。
【図２】ティシュペーパー収納箱の搬送組み立て過程の段階２の斜視図である。
【図３】ティシュペーパー収納箱の搬送組み立て過程の段階３の斜視図である。
【図４】ティシュペーパー収納箱の搬送組み立て過程の段階４の斜視図である。
【図５】ティシュペーパー収納箱の搬送組み立て完了状態の斜視図である。
【図６】ティシュペーパー収納箱の搬送組み立てライン例の斜視図である。
【図７】ティシュペーパー収納箱とホットメルト接着剤塗布ガンとの関係を示す斜視図である。
【図８】ホットメルト接着剤の塗布位置例が異なるティシュペーパー収納箱の斜視図である。
【図９】ホットメルト接着剤の塗布位置例がさらに異なるティシュペーパー収納箱の斜視図である。
【図１０】検査判断例の概要説明図である。
【発明を実施するための形態】
【００２１】
次いで、本発明の実施の形態を以下に詳述する。以下において、ティシュペーパー収納箱の例について説明するが、本発明は、直方体の上下及び左右側面の少なくとも２つの端面片が延在し、対応する端面片を重ねてホットメルト接着する収納箱であれば、収納物に限定されない。その収納物の相違によって、検査形態に相違をもたらすものではないから、共通の技術的思想として扱うことができるものである。
【００２２】
図１は、本実施の形態にかかるティシュペーパー収納箱Ｔｃの搬送組み立て過程の段階１の斜視図である。
このティシュペーパー収納箱Ｔｃは、中央部分が底面１、側面２、上面３、側面４として構成され、これら底面１、側面２、上面３、側面４の長手方向両側縁に、それぞれ底面側端面片１１，１１、側面端面片１２，１２、上面側端面片１３，１３、側面端面片１４，１４が連接されている。前記上面３にはティシュペーパー取り出し用の取り出し口２０が形成されている。
【００２３】
図２〜図５を順に参照すると判るように、ティシュペーパー収納箱Ｔｃの（ベルトコンベア搬送）搬送過程で、各側面端面片１２，１４が折られ、これら側面端面片１２，１４の外側に、底面側端面片１１が折られ、さらに上面側端面片１３が折られ、底面側端面片１１の高さ方向上端部と上面側端面片１３の高さ方向下端部とが貼り合わされている。
ティシュペーパー収納箱Ｔｃ内には、適宜の時点で、ティシュペーパーＴｐが収容される。図２〜図５において、ティシュペーパーＴｐ束の収容は、図面の簡素化のために、図４のみに留めている。
【００２４】
貼り合わせ接着は、たとえば次のように行うことができる。ティシュペーパー束Ｔｐがティシュペーパー収納箱Ｔｃ内に収めたならば、図２に示すように側面端面片１２，１４を折り曲げる。次いで、上面側端面片１３の内面および各側面端面片１２，１４の外面にホットメルトガン等でホットメルト接着剤Ｈ，Ｈ…を塗布する。
この塗布は、ティシュペーパー束Ｔｐを収容した状態のティシュペーパー収納箱Ｔｃをコンベア等で流しながらホットメルトガンで塗布する通常の方法によって行うことができる。
【００２５】
ここで、図示例では、ホットメルト接着剤Ｈ，Ｈ…は、上面側端面片１３については、底面側端面片１１に接する位置と、側面端面片１２，１４に接する位置との両方に配置している。この形態に換えて、底面側端面片１１の内面にホットメルト接着剤Ｈ，Ｈを塗布してもよく、この場合には、底面側端面片１１を折り曲げたときに側面端面片１２，１４に接する位置に配置しており、上面側端面片１３については、底面方向に折り曲げたときに折り曲げ状態とした底面側端面片１１に接する位置に配置している。
【００２６】
さて、本発明においては、上面側端面片１３内面へのホットメルト接着剤の塗布部位がライン方向に設定され、実施の形態では、ティシュペーパー収納箱Ｔｃ幅方向に間隔を置いて３つの塗布部位Ｈ，Ｈ，Ｈ（ｈ１〜ｈ３）が設定され、かつ、ホットメルト接着剤塗布位置よりライン後方にあって、ホットメルト接着剤の温度低下が少ない位置に、塗布部位を睨んでホットメルト接着剤の温度検出器３０を設ける。この温度検出器３０としてはたとえばデジタル放射温度センサを使用できる。
【００２７】
図１０に参照されるように、搬送ラインの現搬送速度は、適宜の速度検出器３１により検出し、目標の塗布部位設定値位置に、現実のホットメルト接着剤塗布部位（ホットメルト塗布ガンはたとえば１８５℃で接着剤を噴出）が到達した時点で、温度検出器３０により検知したその位置における温度信号が、基準温度閾値設定器３２に設定した基準温度（たとえば６０℃を閾値として設定）以上であるか否かに基づき、判定器３３により、塗布部位にホットメルト接着剤が適正に塗布されたか否かを判断する。検査の良否判定の結果、たとえば不良である場合、搬送ラインを停止する対応を行う。この場合、不良頻度上下限設定器３４で、不良品がどの程度の頻度（個／時間）で発生するかを判断し、頻度が小さい場合、当該収納箱のみラインからリジェクトする指令を出し、頻度が高い場合には、根本的な対策が必要であるためにライン停止の信号を出力するのが望ましい。
【００２８】
実施の形態では、図７に示すように、２つのホットメルト塗布ガンＧ１、Ｇ２を設けておき、各ホットメルト塗布ガンＧ１、Ｇ２の負担塗布位置、及び塗布順序を決めておく。
【００２９】
高さの高い収納箱の場合、図８に示すように、９つの塗布部位を設定する必要がある場合がある。また、図９のように、幅方向に線状に連続したものでもよい。要すれば、ホットメルト接着剤の塗布は、間隔をおいて間欠的に散点状に塗布する場合のほか、線状に連続する場合にも本発明を適用できる。
【００３０】
他方、他方の端面についても、形態を説明するまでもなく、同様にホットメルト接着により接着剤し、収納物を封入できる。
【符号の説明】
【００３１】
１…底面、２…側面、３…上面、４…側面、１１…下面側端面片、１２…側面端面片、１３…上面側端面片、１４…側面端面片、Ｔｃ…ティシュペーパー収納箱、Ｔｐ…ティシュペーパー、３０…温度検出器、３１…速度検出器、Ｇ１、Ｇ２…塗布ガン。
【図１】
2014198592.tif 000003
【図２】
2014198592.tif 000004
【図３】
2014198592.tif 000005
【図４】
2014198592.tif 000006
【図５】
2014198592.tif 000007
【図６】
2014198592.tif 000008
【図７】
2014198592.tif 000009
【図８】
2014198592.tif 000010
【図９】
2014198592.tif 000011
【図１０】
2014198592.tif 000012